(57)【要約】【課題】特定の震度を越える地震はもとより、特定の震度以下の地震時にも免震が行われ、しかも、特定の震度以下の地震による免震後の修復工事を排除することができる免震装置を提供する。【解決手段】下部構造部１側に取り付けられる下滑り板４と、上部構造部２側に取り付けられる上滑り板５との間に滑子６が備えられ、特定の震度、例えば震度５弱以下の地震で、上滑り板５と滑子６が水平方向に相対移動をし、下滑り板４と滑子６は相対移動をせず、該震度を超える震度の地震で下滑り板４と滑子６が相対移動を開始するようになされ、上滑り板５と滑子６を復元させる専用のゴム７が備えられ、前記特定震度以下の地震でゴム７により上滑り板５と滑子６とが復元するようになされている。【選択図】      図１
2008008479.tif 000002
【特許請求の範囲】
【請求項１】
下部構造部側の下受け面と、上部構造部側の上受け面と、上下の受け面間に介設された移動子とが備えられ、上下の構造部の水平方向の相対移動により、下受け面と移動子、移動子と上受け面が水平方向に相対移動できるようになされており、
特定の震度以下の地震で、下受け面と移動子、及び、移動子と上受け面の一方が水平方向に相対移動をし、もう一方が相対移動をせず、
該震度を超える震度の地震で前記もう一方が相対移動を開始するようになされており、かつ、
前記一方の受け面と移動子とを復元させる復元手段が備えられ、前記特定震度以下の地震で復元手段により前記一方の受け面と移動子とが復元するようになされていることを特徴とする免震装置。
【請求項２】
復元手段が、前記一方の受け面と移動子とを復元させる専用復元手段からなる請求項１に記載の免震装置。
【発明の詳細な説明】
【技術分野】
【０００１】
本発明は、免震装置に関する。
【背景技術】
【０００２】
下部構造部側の下受け面と、上部構造部側の上受け面と、上下の受け面間に介設された滑子とが備えられ、上下の構造部の水平方向の相対移動により、下受け面と滑子、滑子と上受け面が水平方向に滑って相対移動できるようになされており、摩擦係数を異ならせて、特定の震度以下の地震で、下受け面と滑子、及び、滑子と上受け面の一方が水平方向に相対移動をし、もう一方が相対移動をせず、該震度を超える震度の地震で前記もう一方が相対移動を開始するようになされている免震装置は、従来より知られている。
【特許文献１】特開平１１−２１０８２６号公報
【発明の開示】
【発明が解決しようとする課題】
【０００３】
しかしながら、上記のような免震装置では、特定の震度以下の地震で免震が行われると、地震後に、下受け面と滑子、及び、滑子と上受け面の前記一方が、水平方向にずれた状態で止まってしまうことがあり、特定の震度以下の地震に対しても、特定の震度を越える地震と同様の修復工事が必要になってしまうという問題がある。
【０００４】
本発明は、上記のような問題点に鑑み、特定の震度を越える地震はもとより、特定の震度以下の地震時にも免震が行われ、しかも、特定の震度以下の地震による免震後の修復工事を排除することができる免震装置を提供することを課題とする。
【課題を解決するための手段】
【０００５】
上記の課題は、下部構造部側の下受け面と、上部構造部側の上受け面と、上下の受け面間に介設された移動子とが備えられ、上下の構造部の水平方向の相対移動により、下受け面と移動子、移動子と上受け面が水平方向に相対移動できるようになされており、
特定の震度以下の地震で、下受け面と移動子、及び、移動子と上受け面の一方が水平方向に相対移動をし、もう一方が相対移動をせず、
該震度を超える震度の地震で前記もう一方が相対移動を開始するようになされており、かつ、
前記一方の受け面と移動子とを復元させる復元手段が備えられ、前記特定震度以下の地震で復元手段により前記一方の受け面と移動子とが復元するようになされていることを特徴とする免震装置によって解決される。
【０００６】
この免震装置では、特定の震度以下の地震で、下受け面と移動子、及び、移動子と上受け面の一方が水平方向に相対移動をし、もう一方が相対移動をせず、該震度を超える震度の地震で前記もう一方が相対移動を開始するようになされているので、特定の震度を越える地震はもとより、特定の震度以下の地震時にも免震が行われる。
【０００７】
しかも、特定の震度以下の地震で相対移動をする前記一方の受け面と移動子とを復元させる復元手段が備えられ、該特定震度以下の地震で復元手段により該一方の受け面と移動子とが復元するようになされているので、特定の震度以下の地震による免震後の免震装置の修復工事を排除することができる。
【０００８】
上記の免震装置において、復元手段が、前記一方の受け面と移動子とを復元させる専用復元手段からなるとよい。この場合は、該一方の受け面と移動子との復元を確実なものにすることができる。
【発明の効果】
【０００９】
本発明は、以上のとおりのものであるから、特定の震度を越える地震はもとより、特定の震度以下の地震時にも免震が行われ、しかも、特定の震度以下の地震による免震後の修復工事を排除することができる。
【発明を実施するための最良の形態】
【００１０】
次に、本発明の実施最良形態を図面に基づいて説明する。
【００１１】
図１に示す実施形態において、１は基礎等の下部構造部、２は上部構造部、３は免震装置であり、免震装置３は、下部構造部１側に固着状態に取り付けられた下滑り板４と、上部構造部２側に固着状態に取り付けられた上滑り板５と、上下の滑り板４，５間に介設された移動子としての滑子６とを備え、下滑り板４の平坦な上面４ａを下受け面とし、上滑り板５の平坦な下面５ａを上受け面として、上下の構造部１，２の水平方向の相対移動により、下滑り板４と滑子６、滑子６と上滑り板５が水平方向に滑って相対移動できるようになされている。
【００１２】
具体的には、本実施形態では、該滑子６は、有底円筒形をしており、上端周縁部には、内方に突出するフランジ部６ａが備えられ、外底面が下滑り面として下滑り板４の上面４ａに当接し、フランジ部６ａの上面が上滑り面として上滑り板５の下面５ａに当接し、それらの摩擦抵抗力に抗して、下滑り板４と滑子６、滑子６と上滑り板５が水平方向に滑って相対移動できるようになされている。
【００１３】
そして、滑子６の底面と下滑り板４の上面４ａとは、特定の震度を越える地震で滑りを開始するように摩擦係数等が設定されていると共に、滑子６のフランジ部６ａの上面と上滑り板５の下面５ａとは、特定の震度以下の地震で滑りを開始するように摩擦係数等が設定されている。特定の震度は、具体的には例えば震度５弱程度に設定される。また、本実施形態では、滑子６のフランジ部６ａの上面と上滑り板５の下面５ａとは、例えば震度３以下では滑らず、該震度３を越える震度で滑りを開始するように摩擦係数等が設定されている。
【００１４】
そして、滑子６の内部底面と、上滑り板５の下面５ａとが復元手段としてのゴム７で連結され、前記特定震度である震度５弱以下の地震において、ゴム７により上滑り板５と滑子６とが復元するようになされている。
【００１５】
上記の免震装置３では、特定の震度以下の地震、例えば上記のような震度５弱以下の地震では、図２（イ）（ロ）に示すように、上滑り板５と滑子６とが滑って水平方向に相対移動をし、下滑り板４と滑子６とは滑らずに相対移動をせず、該震度５弱を超える地震では、図３（イ）（ロ）に示すように、上滑り板５と滑子６、及び、下滑り板４と滑子６とが滑って相対移動をするようになされているので、特定の震度である例えば震度５弱を越える地震時はもとより、該特定の震度５弱以下の地震時にも免震が行われる。
【００１６】
しかも、該特定の震度５弱以下の地震で相対移動をする上滑り板５と滑子６とを復元させるゴム７が備えられ、図２（ハ）に示すように、該特定震度５弱以下の地震でゴム７により上滑り板５と滑子６とが復元するようになされているので、該特定震度５弱以下の地震による免震後の免震装置３の修復工事を排除することができる。
【００１７】
特に、本実施形態では、ゴム７が上滑り板５の下面５ａと滑子６との専用復元手段として備えられているので、上滑り板５と滑子６との復元を確実なものにすることができる。
【００１８】
なお、震度５弱を超える地震では、図３（ハ）に示すように、上滑り板５と滑子６とはゴム７で復元するが、下滑り板４と滑子６とは復元することなく停止してしまうことがあり、その場合は、修復工事を行えばよい。この修復工事においては、下滑り板４と滑子６の位置関係のみを修復すればよく、工事を容易に遂行することができる。
【００１９】
以上に、本発明の実施形態を示したが、本発明はこれに限られるものではなく、発明思想を逸脱しない範囲で各種の変更が可能である。例えば、上記の実施形態では、特定の震度以下の地震で上滑り板５と滑子６とが水平方向に相対移動をし、下滑り板４と滑子６とが相対移動をせず、該震度を超える震度の地震で下滑り板４と滑子６が相対移動を開始するようになされているが、特定の震度以下の地震で下滑り板４と滑子６とが水平方向に相対移動をし、上滑り板５と滑子６とが相対移動をせず、該震度を超える震度の地震で下滑り板４と滑子６が相対移動を開始するようになされていてもよい。
【００２０】
また、滑子６や上下の滑り板４，５、復元手段の具体的形態に制限はなく、各種形態のものが用いられてよい。
【００２１】
更に、上記の実施形態では、滑り支承の免震装置を示したが、上記の免震装置において、滑子６のフランジ部６ａの上面部にベアリングを設け、滑子６と上滑り板５と転がり支承にするようにしてもよく、そのような滑り・転がり支承などの免震装置に構成されてもよく、要は、滑りか転がりかその他であるかにかかわらず、特定の震度以下の地震で、下受け面と移動子、及び、移動子と上受け面の一方が水平方向に相対移動をし、もう一方が相対移動をせず、該震度を超える震度の地震で前記もう一方が相対移動を開始するようになされていればよい。
【図面の簡単な説明】
【００２２】
【図１】実施形態の免震装置を示すもので、図（イ）は断面正面図、図（ロ）は分解断面正面図である。
【図２】図（イ）及び図（ロ）は、特定の震度以下の地震時の免震装置の作動状態を示す断面正面図、図（ハ）は地震後の免震装置を示す断面正面図である。
【図３】図（イ）及び図（ロ）は、特定の震度を越える地震時の免震装置の作動状態を示す断面正面図、図（ハ）は地震後の免震装置の状態の一例を示す断面正面図である。
【符号の説明】
【００２３】
１…下部構造部
２…上部構造部
３…免震装置
４ａ…上面（下受け面）
５ａ…下面（上受け面）
６…滑子（移動子）
７…ゴム（復元手段）
【図１】
2008008479.tif 000003
【図２】
2008008479.tif 000004
【図３】
2008008479.tif 000005